(57)【要約】【課題】  タッピングホールがあっても、風の通過を防止しつつ風止め板を取り付けることができる開口部装置を提供する。【解決手段】  この開口部装置は、枠体Ａと、この枠体Ａ内に左右方向に移動可能に収納された障子Ｃ、Ｄと、障子Ｃ、Ｄの閉時に障子Ｃ、Ｄの召合せ部と枠体Ａの上枠１との間の隙間を塞ぐ風止め板Ｋとを備え、枠体Ａの上枠１には、上枠１の長手方向に連続するタッピングホール１２が設けられ、風止め板Ｋは、上枠１の長手方向から嵌入されて、障子Ｃ、Ｄの閉時における障子Ｃ、Ｄの召合せ部と対応する上枠１の位置に取り付けられているとともに、その一部（突起部）５４がタッピングホール１２の内部空間を閉塞している。【選択図】      図３
2006183239.tif 000002
【特許請求の範囲】
【請求項１】
枠体と、この枠体内に左右方向に移動可能に収納された障子と、前記障子の閉時に該障子の召合せ部と前記枠体の上枠との間の隙間を塞ぐ風止め板とを備え、前記枠体の上枠には、該上枠の長手方向に連続するタッピングホールが設けられ、前記風止め板は、前記上枠の長手方向から嵌入されて、前記障子の閉時における該障子の召合せ部と対応する前記上枠の位置に取り付けられているとともに、その一部が前記タッピングホールの内部空間を閉塞していることを特徴とする開口部装置。
【発明の詳細な説明】
【技術分野】
【０００１】
本発明は、引き違い障子または片引き障子等のように左右方向に移動可能な障子が枠体内に収納された開口部装置に係り、特に障子の閉時に障子の召合せ部上部からの風の進入を防ぐための風止め板を備えた開口部装置に関する。
【背景技術】
【０００２】
この種の開口部装置の一つとして、従来、例えば、特許文献１に記載の引違いサッシが知られている。
この引違いサッシにおいては、風止め板が、障子の閉時に、障子の召合せ框と対応する枠体の上枠の内レールと外レールとの間に配置され、ねじ（ビス）により上枠に取り付けられている。
【０００３】
【特許文献１】特開平９−３１０５６４号公報
【発明の開示】
【発明が解決しようとする課題】
【０００４】
ところで、枠体の上枠の内面には、タッピングホール（ビスホール）が形成され、このタッピングホールに縦枠を通してねじがねじ込まれることにより、上枠と縦枠とが組み立てられるが、通常、タッピングホールは上枠の奥行き方向の両端部に形成され、上枠と縦枠とは２本のねじにより組み立てられている。
【０００５】
ところが、近年、外壁の多様化等により、枠体の見込み寸法（奥行き寸法）が大きいものもあり、このため上枠にタッピングホールを追加し、３本以上のねじにより上枠と縦枠とを締め付けて、両部材の間に隙間が生じないようにすることがある。このような場合、従来、タッピングホールは、風止め板が取り付けられる箇所を避けて形成される。これは、風止め板をねじにより上枠に取り付けたときに、タッピングホールがあると、このタッピングホールの内部空間を通して風が進入してしまうからである。
【０００６】
本発明は、このような事情に鑑みて為されたもので、タッピングホールがあっても、風の通過を防止しつつ風止め板を取り付けることができる開口部装置を提供することを目的とする。
【課題を解決するための手段】
【０００７】
前記目的を達成するために、請求項１に記載の開口部装置は、枠体と、この枠体内に左右方向に移動可能に収納された障子と、前記障子の閉時に該障子の召合せ部と前記枠体の上枠との間の隙間を塞ぐ風止め板とを備え、前記枠体の上枠には、該上枠の長手方向に連続するタッピングホールが設けられ、前記風止め板は、前記上枠の長手方向から嵌入されて、前記障子の閉時における該障子の召合せ部と対応する前記上枠の位置に取り付けられているとともに、その一部が前記タッピングホールの内部空間を閉塞していることを特徴とする。
【発明の効果】
【０００８】
請求項１に記載の発明によれば、風止め板が上枠の長手方向から嵌入されて取り付けられ、その一部がタッピングホールの内部空間を閉塞しているので、風止め板が取り付けられる箇所にタッピングホールが設けられていても、このタッピングホールの内部空間を通して風が通過するのを防止しつつ、風止め板を取り付けることができ、したがって開口部装置の設計上の自由度を高めることができる。また、上枠の長手方向から風止め板を嵌入すれば、上枠に風止め板を取り付けることができるので、取付作業を容易に行うことができる。
【発明を実施するための最良の形態】
【０００９】
以下、添付した図面を参照しながら、本発明の実施の形態を説明する。
図１は本発明の実施の形態に係る違いサッシを示す縦断面図であり、図２は横断面図であり、図３は図１の要部の拡大図であり、図４は図２のＸ方向下側から見た斜視図であり、図５は図２のＹ方向下側から見た斜視図であり、図６は風止め板を示す斜視図である。
この引違いサッシ（開口部装置）は、３枚建ての引違いサッシであって、枠体Ａと、この枠体Ａ内に左右方向に移動可能に収納された外障子（障子）Ｂ、中障子（障子）Ｃおよび内障子（障子）Ｄと、外網戸Ｅおよび内網戸Ｆとを備えている。
【００１０】
枠体Ａは、上枠１、下枠２および左右の縦枠３、４により方形に組み立てられて構成されている。上枠１、下枠２および縦枠３、４はそれぞれ、アルミニウム合金製押出形材からなる。
上枠１および下枠２の内面にはそれぞれ、外網戸Ｅおよび内網戸Ｆ、並びに外障子Ｂ、中障子Ｃおよび内障子Ｄを左右方向に水平移動自在に支持するためのレール１Ｅ、１Ｆ、１Ｂ、１Ｃ、１Ｄおよびレール２Ｅ、２Ｆ、２Ｂ、２Ｃ、２Ｄが、室外側から順に形成されている。
【００１１】
また、上枠１の内面には、上枠１の奥行き方向（室内外方向）に間隔をおいて３つのタッピングホール１１、１２、１３が形成されている。タッピングホール１１は、室外側すなわちレール１Ｆとレール１Ｂとの間に形成されている。タッピングホール１３は、室内側端部すなわちレール１Ｄよりも室内側に形成されている。タッピングホール１２は、タッピングホール１１とタッピングホール１３との間、すなわちレール１Ｃとレール１Ｄとの間に形成されている。タッピングホール１１、１２、１３はともに、上枠１の長手方向（左右方向）に連続して形成されている。両側のタッピングホール１１、１３の横断面の外側形状は、丸形に形成され、これらの間のタッピングホール１２の横断面の外側形状は、方形に形成されている。これらのタッピングホール１１、１２、１３にそれぞれ、左右から縦枠３、４を通してねじがねじ込まれることにより、上枠１と縦枠３、４とが組み立てられている。
【００１２】
また、上枠１のレール１Ｂおよび１Ｃの上端部にはそれぞれ、互いに対向するように水平に突出する突条１４、１５が形成されている。また、レール１Ｃおよび１Ｄの上端部にはそれぞれ、互いに対向するように水平に突出する突条１６、１７が形成されている。各突条１４、１５、１６、１７はともに、上枠１の長手方向に連続して形成されている。
【００１３】
外障子Ｂは、上框２１、下框２２、戸先框（縦框）２３および外召合せ框（縦框）２４とにより方形の框組体が組み立てられ、この框組体に複合ガラス２６が組み込まれて構成されている。また、中障子Ｃは、上框３１、下框３２、内召合せ框（縦框）３３および外召合せ框（縦框）３４とにより方形の框組体が組み立てられ、この框組体に複合ガラス２６が組み込まれて構成されている。また、内障子Ｄは、上框４１、下框４２、内召合せ框（縦框）４３および戸先框（縦框）４４とにより方形の框組体が組み立てられ、この框組体に複合ガラス２６が組み込まれて構成されている。上框２１、下框２２、戸先框２３および外召合せ框２４、並びに上框３１、下框３２、内召合せ框３３および外召合せ框３４、並びに上框４１、下框４２、内召合せ框４３および戸先框４４それぞれ、アルミニウム合金製の押出形材からなる。
【００１４】
中障子Ｃおよび内障子Ｄを閉めたときに、これらの中障子Ｃと内障子Ｄとの召合せ部と枠体Ａの上枠１との間の生じる隙間を塞ぐために、上枠１には合成ゴム等からなる風止め板Ｋが設けられている。この風止め板Ｋは、概略方形板状の基部５１と、この基部５１から垂れ下がる複数個の薄板状の垂下部５２とを備えている。
【００１５】
基部５１には、上方に開口された横断面形状が方形の溝５３が基部５１の長手方向に連続して形成されており、この溝５３は、タッピングホール１２の外側に該タッピングホール１２の長手方向から嵌め込むことができるようになっている。溝５３の両端部にはそれぞれ、溝５３の底面中央部から開口側に向かって突出する突起部５４が形成されており、両突起部５４は、タッピングホール１２の内部空間内に該内部空間の長手方向から嵌め込むことができるようになっている。基部５１の上面は、溝５３を形成する部分および外周部を残して削り取られており、これにより基部５１の厚さ（体積）が小さくされているとともに、風止め板Ｋを取り付ける（挿入する）際に、風止め板Ｋを変形し易くして、挿入し易くしている。削り取られて生じた基部５１の上面の周壁５５の室内外側にはそれぞれ、複数個のスリット５６が形成されている。
【００１６】
各垂下部５２は、基部５１の各スリット５６の位置に形成されている。すなわち、本例では８つの垂下部５２が左右に４つずつ分かれて配置されている。４つの垂下部５２は、左右方向に等間隔に離れて配置され、各垂下部５２は室内外方向に延びている。各垂下部５２には、中央部下部に２つ（または１つ）の切り込み５７が設けられており、これにより中障子Ｃおよび内障子Ｄがそれぞれ反対方向に移動する際に、垂下部５２の下部が互いに反対方向にずれることができるようになっている。各垂下部５２の上部の室内外側の端部にはそれぞれ、切欠５８が形成されており、各垂下部５２の両切欠５８はそれぞれ、上枠１のレール１Ｃの突条１６およびレール１Ｄの突条１７に各突条１６、１７の長手方向から嵌め込むことができるようになっている。
【００１７】
風止め板Ｋは、上枠１の長手方向（左右方向）から嵌入されて、溝５３がタッピングホール１２の外側に嵌め込まれるとともに、両突起部５４がタッピングホール１２の内部空間内に嵌め込まれ、かつ両切欠５８がそれぞれレール１Ｃの突条１６およびレール１Ｄの突条１７に嵌め込まれることにより、上枠１の内面とレール１Ｃとレール１Ｄとの間に嵌合されている。この風止め板Ｋは、中障子Ｃおよび内障子Ｄの閉時における外召合せ框３４および内召合せ框４３と対応する上枠１の位置に取り付けられており、風止め板Ｋの下端部は、中障子Ｃの外召合せ框３４および内障子Ｄの内召合せ框４３に接触している。
【００１８】
また、外障子Ｂおよび中障子Ｃを閉めたときに、これらの外障子Ｂと中障子Ｃとの召合せ部と枠体Ａの上枠１との間の生じる隙間を塞ぐために、上枠１には合成ゴム等からなる風止め板Ｋ１が設けられている。この風止め板Ｋ１は、概略方形板状の基部７１と、この基部７１から垂れ下がる複数個の薄板状の垂下部７２とを備えている。各垂下部７２には、中央部下部に２つ（または１つ）の切り込み７３が設けられている。また、各垂下部７２の上部の室内外側の端部にはそれぞれ、切欠７４が形成されており、各垂下部７２の両切欠７４はそれぞれ、上枠１のレール１Ｂの突条１４およびレール１Ｃの突条１５に各突条１４、１５の長手方向から嵌め込むことができるようになっている。
【００１９】
この風止め板Ｋ１は、上枠１の長手方向（左右方向）から嵌入されて、両切欠５８がそれぞれレール１Ｂの突条１４およびレール１Ｃの突条１５に嵌め込まれることにより、上枠１の内面とレール１Ｂとレール１Ｃとの間に取り付けられている。この風止め板Ｋ１は、外障子Ｂおよび中障子Ｃの閉時における外召合せ框２４および内召合せ框３３と対応する上枠１の位置に取り付けられており、風止め板Ｋ１の下端部は、外障子Ｂの外召合せ框２４および中障子Ｃの内召合せ框３３に接触している。
【００２０】
このように構成された引違いサッシにあっては、風止め板Ｋが上枠１の長手方向から嵌入されて、上枠１の内面とレール１Ｃとレール１Ｄとの間に嵌合されており、これにより中障子Ｃおよび内障子Ｄを閉めたときに、これらの中障子Ｃと内障子Ｄとの召合せ部と枠体Ａの上枠１との間の生じる隙間を塞いでいる。そして、風止め板Ｋの両突起部５４がタッピングホール１２の内部空間内に嵌め込まれて、その内部空間を閉塞しているので、風止め板Ｋが取り付けられる箇所にタッピングホール１２が形成されていても、このタッピングホール１２の内部空間を通して風が通過するのを防止しつつ、風止め板Ｋを上枠１に取り付けることができるため、引違いサッシの設計上の自由度を高めることができる。また、上枠１の長手方向から風止め板Ｋを嵌入すれば、上枠１に風止め板Ｋを取り付けることができるので、取付作業を容易に行うことができる。
【００２１】
さらに、風止め板Ｋの溝５３の両端部にのみ突起部５４を設けたので、タッピングホール１２の内部空間に突起部５４を嵌入し易い。
さらには、タッピングホール１２の横断面の外側形状を、方形に形成したので、風止め板Ｋの溝５３の横断面形状を方形に形成して、これらを嵌め込むと、隙間を殆ど無くすることができる。因みに、タッピングホール１２の横断面の外側形状を、従来のように、丸形に形成すると、風止め板Ｋの溝５３の横断面形状を丸形に形成しても、これらを嵌め込んだときに、どうしても隙間が生じてしまう。
【００２２】
なお、上述の各実施の形態では、風止め板Ｋの溝５３の両端部にのみ突起部５４を設けたが、この突起部を連続的に形成してもよく、さらには断続的に形成してもよい。
また、上述の実施の形態では、タッピングホール１２の横断面の外側形状を、方形に形成したが、丸形に形成してもよい。さらに、タッピングホール１２を上枠１の内面に形成したが、レール１Ｃやレール１Ｄに形成してもよい。
また、上述の実施の形態では、本発明を３枚建ての引違いサッシに適用した場合について説明したが、２枚建て、４枚建ての引違いサッシ等に本発明を適用することができ、さらに片引きサッシ等にも適用することができる。
【図面の簡単な説明】
【００２３】
【図１】本発明の実施の形態に係る引違いサッシを示す図であって、縦断面図である。
【図２】同、横断面図である。
【図３】図１の要部の拡大図である。
【図４】図２のＸ方向下側から見た斜視図である。
【図５】図２のＹ方向下側から見た斜視図である。
【図６】風止め板を示す図であって、（ａ）は上側から見た斜視図であり、（ｂ）は下側から見た斜視図である。
【符号の説明】
【００２４】
Ａ    枠体
Ｃ    中障子（障子）
Ｄ    内障子（障子）
Ｋ    風止め板
１    上枠
１２  タッピングホール
３４  外召合せ框
４３  内召合せ框
５４  突起部（風止め板の一部）
【図１】
2006183239.tif 000003
【図２】
2006183239.tif 000004
【図３】
2006183239.tif 000005
【図４】
2006183239.tif 000006
【図５】
2006183239.tif 000007
【図６】
2006183239.tif 000008